(57)【要約】【課題】水面の揺らぎを美しく見せることができる浴室用照明装置を提供する。【解決手段】本発明の浴室用照明装置（１）は、浴槽の水面に向けて光を照射し、水面で反射した光により浴室内を照らす浴室用照明装置であって、光を照射する照明ユニット（１０）と、前記照明ユニットから照射された光を制限する制限部材（２０）と、を備え、前記制限部材は、前記照明ユニットから照射された光を、前記浴槽の形状に応じて長手方向及び短手方向を有する照射範囲（７０）に制限する。【選択図】図２
2019046608.tif 000002
【特許請求の範囲】
【請求項１】
浴槽の水面に向けて光を照射し、水面で反射した光により浴室内を照らす浴室用照明装置であって、
光を照射する照明ユニットと、
前記照明ユニットから照射された光を制限する制限部材と、
を備え、
前記制限部材は、前記照明ユニットから照射された光を、前記浴槽の形状に応じて長手方向及び短手方向を有する照射範囲に制限する、浴室用照明装置。
【請求項２】
前記照明ユニットは、前記浴室の天井裏に配置され、天井に設けられた開口を通じて光を照射し、
前記制限部材は、前記照明ユニットにより照射された光が透過する透過孔を有すると共に前記開口を覆うカバー体を備え、
前記透過孔は、前記浴槽の長手方向及び短手方向に対応する長孔形状に形成されている、
請求項１に記載の浴室用照明装置。
【請求項３】
前記カバー体は、前記カバー体の中心を基準に回転可能に前記天井の前記開口に取り付けられる、請求項２に記載の浴室用照明装置。
【請求項４】
前記透過孔は、前記照明ユニットの光軸に対して偏心した位置に形成されている、請求項２又は３に記載の浴室用照明装置。
【請求項５】
前記制限部材は、前記照明ユニットから照射された光を、前記浴槽の水面に向けて集束させるレンズを備える、請求項１に記載の浴室用照明装置。
【請求項６】
前記制限部材は、筒状部材を備え、
前記照明ユニットから照射された光が通過する前記筒状部材の内面側には、光吸収面が形成されている、
請求項１〜５のいずれか一項に記載の浴室用照明装置。
【請求項７】
前記浴槽は、湯を溜める浴槽本体と、前記浴槽本体の上端縁の周囲に設けられたフランジを有し、
前記浴室用照明装置は、前記浴槽本体の中央の上方の天井の領域よりも外側に取り付けられる、請求項１〜６のいずれか一項に記載の浴室用照明装置。
【請求項８】
前記浴室は、前記浴槽と洗い場とが隣接して配置されており、
前記浴室用照明装置は、前記洗い場側に設けられた前記浴槽のフランジの上方に設けられている、
請求項７に記載の浴室用照明装置。
【発明の詳細な説明】
【技術分野】
【０００１】
本発明は、浴槽の水面に向けて光を照射する浴室用照明装置に関する。
【背景技術】
【０００２】
近年、浴槽の水面に光を照射し、水面から反射した光で浴室の天井又は壁面を照らすことによって、幻想的な演出効果を得る浴室用照明装置が開示されている（例えば、特許文献１参照。）。
【０００３】
特許文献１では、浴室の天井に取り付けられたスポットライトを用いて、浴槽の水面に光を照射する照明装置が開示されている。
【先行技術文献】
【特許文献】
【０００４】
【特許文献１】特開２００３−９７０６４号公報
【発明の概要】
【発明が解決しようとする課題】
【０００５】
しかしながら、特許文献１の照明装置では、水面の揺らぎを美しく見せるという点で未だ改善の余地がある。
【０００６】
本発明は、前記課題を解決するもので、水面の揺らぎを美しく見せることができる浴室用照明装置を提供する。
【課題を解決するための手段】
【０００７】
本開示の一態様に係る浴室用照明装置は、
浴槽の水面に向けて光を照射し、水面で反射した光により浴室内を照らす浴室用照明装置であって、
光を照射する照明ユニットと、
前記照明ユニットから照射された光を制限する制限部材と、
を備え、
前記制限部材は、前記照明ユニットから照射された光を、前記浴槽の形状に応じて長手方向及び短手方向を有する照射範囲に制限する。
【発明の効果】
【０００８】
以上のように、本発明の浴室用照明装置によれば、水面の揺らぎを美しく見せることができる。
【図面の簡単な説明】
【０００９】
【図１】図１は、本発明の実施の形態１に係る浴室用照明装置の分解斜視図である。
【図２】図２は、図１の浴室用照明装置の構成を示す概略断面図である。
【図３】図３は、制限部材の分解斜視図である。
【図４】図４は、カバー体を下方から見た場合の概略図である。
【図５】図５は、図１の浴室用照明装置が取り付けられた浴室を天井側から見た図である。
【図６】図６は、図１の浴室用照明装置が取り付けられた浴室を側面側から見た図である。
【図７】図７は、変形例の浴室用照明装置の概略断面図である。
【図８】図８は、別の変形例浴室用照明装置の概略断面図である。
【図９】図９は、照明ユニットから照射された光を集束するレンズの概略図である。
【発明を実施するための形態】
【００１０】
（本発明に至った経緯）
特許文献１に開示された照明装置では、スポットライトの光を照射するため、光の照射範囲が拡がってしまい、浴槽の水面に十分な光を照射することができない。また、スポットライトの光が直接浴室の壁面に照射されるため、水面からの反射光の映りを妨げ、水の揺らぎを美しく見せることができない。
【００１１】
そこで、本発明者は、照明ユニットから照射された光を制限部材により制限することによって、浴室の壁面に光を直接照射せずに浴槽の水面に向けて光を照射する構成を見出し、以下の発明に至った。
【００１２】
以下、実施形態について、添付の図面を参照しながら説明する。また、各図においては、説明を容易なものとするため、各要素を誇張して示している。
【００１３】
（実施の形態１）
［全体構成］
実施の形態１に係る浴室用照明装置の全体構成について説明する。
【００１４】
図１は、本発明の実施の形態１に係る浴室用照明装置１の分解斜視図である。図２は、図１の浴室用照明装置の構成を示す概略断面図である。図１及び図２中の中心軸ＣＬ１は、各構成要素の中心を通る線を示す。図１及び図２に示すように、浴室用照明装置１は、浴槽の水面に向けて光を照射し、水面で反射した光により浴室内を照らす照明装置であって、照明ユニット１０と、制限部材２０とを備える。実施の形態１では、浴室用照明装置１は、浴室の天井５１に取り付けられており、照明ユニット１０から照射される光の光軸が天井面に対して垂直となるように構成されている。即ち、実施の形態１では、照明ユニット１０から照射される光の光軸は、中心軸ＣＬ１と一致する。
【００１５】
＜照明ユニット＞
照明ユニット１０は、光を照射する光源を有する。光源としては、特に限定されないが、例えば、発光ダイオード（ＬＥＤ）、又は白熱電球などが挙げられる。
【００１６】
照明ユニット１０は、天井裏に配置されている。照明ユニット１０は、天井５１に設けられた開口５２を通じて光を浴室内に照射する。このように、浴室用照明装置１においては、光源を有する照明ユニット１０を配置するスペースを天井裏側に形成している。
【００１７】
実施の形態１では、照明ユニット１０は、補強木１１、ホルダーナット１２、及び金属プレート１３を介して天井裏面側に取り付けられている。
【００１８】
補強木１１は、平板状の木材であり、天井裏面に配置される。補強木１１は、天井５１の開口５２に対応する位置に、円形の貫通孔が形成されている。
【００１９】
ホルダーナット１２は、筒状体と、筒状体の一端において径方向外側に延びる平板部材とからで構成されている。また、ホルダーナット１２の内側には、制限部材２０と螺合するネジ部が形成されている。ホルダーナット１２の筒状体は、補強木１１の貫通孔を通じて、天井５１の開口５２内部に配置されている。また、ホルダーナット１２は、平板部材が補強木１１と金属プレート１３との間に挟持されることによって、固定されている。
【００２０】
金属プレート１３は、平板状に形成されている。金属プレート１３は、補強木１１と共にホルダーナット１２の平板部材を挟持する。金属プレート１３は、タッピングネジ１４などの固定具によって、補強木１１と共に天井裏に固定されている。また、金属プレート１３には、照明ユニット１０がネジなどの固定具によって取り付けられている。金属プレート１３は、天井５１の開口５２に対応する位置に、円形の貫通孔が形成されている。
【００２１】
照明ユニット１０から照射された光は、金属プレート１３の貫通孔、ホルダーナット１２の内部、及び天井５１の開口５２を通って、制限部材２０に入射される。
【００２２】
＜制限部材＞
制限部材２０は、照明ユニット１０から照射された光を制限する部材である。制限部材２０は、照明ユニット１０から照射された光を、浴槽の水面に向けて照射する。具体的には、制限部材２０は、照明ユニット１０から照射された光を、浴槽の形状に応じて長手方向及び短手方向を有する照射範囲に制限する。これにより、照明ユニット１０から照射された光が浴室の壁面に直接照射されることを防止しつつ、水面に光を照射することができる。その結果、水面で反射した光により浴室の壁面を照らし、水の揺らぎを美しく映すことができる。
【００２３】
制限部材２０は、浴室内において、止水パッキン１５及び滑り止めパッキン１６を介して、天井５１の開口５２に取り付けられる。
【００２４】
図３は、制限部材２０の分解斜視図である。図３に示すように、制限部材２０は、カバー体２１、遮光部材２２、及びホルダ２３を備える。本明細書においては、ホルダ２３及び遮光部材２２を「筒状部材」と称する場合がある。
【００２５】
カバー体２１は、有底筒状の部材で形成されている。カバー体２１は、浴室内において天井５１の開口５２を覆う円形の蓋体である。カバー体２１の厚みは、カバー体２１の直径よりも小さく設計されている。カバー体２１の底には、照明ユニット１０から開口５２を通じて照射される光が透過する透過孔２４が形成されている。実施の形態１では、カバー体２１は、天井５１の開口５２の外側に配置され、開口５２を覆っている。
【００２６】
図４は、カバー体２１を下方から見た場合の概略図である。図４に示すように、透過孔２４は、照明ユニット１０の光軸に対して偏心した位置に形成されている。透過孔２４の位置を、照明ユニット１０の光軸に対して偏心させることによって、透過孔２４を通じて照射される光の方向を変えることができる。実施の形態１では、照明ユニット１０の光軸と中心軸ＣＬ１とが一致するため、透過孔２４は、カバー体２１の中心Ｃ１に対して偏心した位置に形成されている。具体的には、透過孔２４は、浴槽側に近い位置に形成されている。
【００２７】
実施の形態１では、図２に示すように、照明ユニット１０から照射された光は、光軸と一致する中心軸ＣＬ１に沿って方向Ｄ１に向かって開口５２内を通過し、カバー体２１の透過孔２４によって中心軸ＣＬ１に対して斜め方向Ｄ２に照射される。
【００２８】
透過孔２４の形状は、浴槽の形状に応じて決定される。具体的には、照明ユニット１０から照射された光が、浴室の壁面に直接照射されるのを防止しつつ、浴槽の水面を照射するように、透過孔２４の形状が決定される。実施の形態１では、透過孔２４は、浴槽の長手方向及び短手方向に対応する長孔形状に形成されている。長孔形状は、例えば、楕円形状又は長方形状であってもよい。
【００２９】
図３に戻って、カバー体２１は、遮光部材２２の位置決めを行う複数の位置決めピン２５と、ホルダ２３を係合する径方向内側に突設した複数の凸部２６と、を備える。
【００３０】
遮光部材２２は、照明ユニット１０から照射された光によってカバー体２１が透けないように光を遮光する部材である。遮光部材２２は、円板状の遮光板２７と、筒状体２８とを備える。遮光部材２２は、光を遮光するために、例えば、黒色の部材で形成されている。なお、遮光部材２２は、光を遮光可能な部材で形成されていればよく、黒色の部材に限定されない。
【００３１】
遮光板２７は、カバー体２１の内部に収納されるように構成されている。具体的には、遮光板２７は、遮光板２７の周縁部に形成された凹部をカバー体２１の凸部２６の位置に合わせて、カバー体２１の内部に挿入される。次に、遮光板２７を回転させ、遮光板２７の位置決め孔２９にカバー体２１の位置決めピン２５を挿入させる。このようにして、遮光板２７をカバー体２１の内部に収納する。このとき筒状体２８を把持して遮光板２７を回転させることで容易に位置決め孔２９にカバー体２１の位置決めピン２５を挿入させることができる。
【００３２】
また、遮光板２７には、カバー体２１の透過孔２４に対応する位置に貫通孔３０が形成されている。具体的には、図２に示すように、遮光板２７がカバー体２１の内部に収納された状態において、遮光板２７の貫通孔３０は、カバー体２１の透過孔２４の真上に位置する。これにより、照明ユニット１０から照射された光は、遮光板２７の貫通孔とカバー体２１の透過孔２４とを通じて、浴槽の水面に向けて照射される。実施の形態１では、遮光板２７の貫通孔は、カバー体２１の透過孔２４の形状よりも大きく形成されている。
【００３３】
図３に戻って、筒状体２８は、遮光板２７の貫通孔を囲うように、遮光板２７の中央から突設して形成されている。筒状体２８は、照明ユニット１０から照射された光が遮光され、天井５１とカバー体２１の隙間などから光が漏れるのを防止している。また、筒状体２８は、ホルダ２３の内部に挿入される寸法で形成されている。筒状体２８をホルダ２３の内部に挿入することによって、筒状体２８とホルダ２３との二重構造となり、光が外部に漏れにくい構成になっている。
【００３４】
ホルダ２３は、天井５１の開口５２の内部に取り付けられる筒状の部材である。具体的には、ホルダ２３の外周には、ネジ部が形成されており、ホルダーナット１２のネジ部と螺号する。これにより、ホルダ２３は、止水パッキン１５及び滑り止めパッキン１６を介して開口５２内部に取り付けられる。
【００３５】
ホルダ２３は、遮光部材２２の筒状体２８を内部に収納することができる。また、遮光部材２２と接する側のホルダ２３の端部の周縁部には、径方向外側に延びる複数のフランジ部３１が形成されている。複数のフランジ部３１は、互いに隙間を有して形成されている。この隙間は、カバー体２１の凸部２６が通過可能な寸法に設計されている。
【００３６】
ホルダ２３は、複数のフランジ部３１の隙間を、カバー体２１の凸部２６の位置に合わせて、カバー体２１の内部に挿入される。次に、カバー体２１を回転させ、ホルダ２３の複数のフランジ部３１にカバー体２１の複数の凸部２６を係合させる。このようにして、カバー体２１をホルダ２３に取り付ける。
【００３７】
複数の凸部２６は、複数のフランジ部３１上で摺動可能である。これにより、カバー体２１がホルダ２３に対して回転可能に構成されている。即ち、カバー体２１は、カバー体２１の中心Ｃ１を基準にして回転可能に構成されている。実施の形態１においては、カバー体２１は、天井５１の開口５２に取り付けられており、カバー体２１の中心Ｃ１は、中心軸ＣＬ１上に配置されている。このように、カバー体２１をカバー体２１の中心Ｃ１を基準に回転させることによって、透過孔２４の位置を調整することができる。
【００３８】
複数のフランジ部３１の円周方向の端部には、凸部２６を係止する係止部３２が設けられている。これにより、フランジ部３１上を摺動する凸部２６を係止部３２で係止し、カバー体２１をホルダ２３から抜け落ちることを防止している。
【００３９】
ホルダ２３の内面側は、白色の部材で形成されている。光の散乱を防ぐためには黒色の部材で形成することが望ましいが、黒色の部材で形成した場合、光を吸収しホルダ２３の温度が上がりすぎる。従って、実施の形態１では、遮光部材２２の筒状体２８を黒色の部材で形成し、筒状体２８の高さを抑える（ホルダより高さを低くしている）ことにより、ホルダ２３及び遮光部材２２の温度が上がりすぎることを防いでいる。ただし、照明ユニット１０の出力を抑えることで、温度の問題が生じない場合は、ホルダ２３の内面側を照明ユニット１０から照射された光を吸収する光吸収面として形成してもよい。例えば、ホルダ２３の内部の光吸収面は、黒色の部材で形成されてもよい。なお、ホルダ２３内部の光吸収面は、光を吸収可能な部材で形成されていればよく、黒色の部材に限定されない。
【００４０】
なお、光吸収面は、ホルダ２３と遮光部材２２のいずれか一方又は両方に形成されていてもよい。
【００４１】
遮光部材２２が取り付けられる側と反対側のホルダ２３の端部では、透明なキャップ３３が取り付けられている。これにより、照明ユニット１０から照射された光を透過しつつ、開口５２を閉塞している。なお、図２においては、説明を容易にするため、キャップ３３の図示を省略している。
【００４２】
図５は、図１の浴室用照明装置１が取り付けられた浴室６０を天井側から見た図である。図６は、図１の浴室用照明装置１が取り付けられた浴室６０を側面側から見た図である。図６中の点線は、浴室用照明装置１から照射された光の進む方向を示す。図５及び図６に示すように、浴室６０は、浴槽６１と洗い場６２を有する。浴槽６１は洗い場６２と隣接している。
【００４３】
浴槽６１は、湯を溜める浴槽本体６３と、浴槽本体６３の上端縁の周囲に設けられたフランジ６４と、を備える。浴槽本体６３は、天井側から見て、長手方向及び短手方向を有している。
【００４４】
浴室用照明装置１において、照明ユニット１０から照射された光は、制限部材２０によって制限され、浴槽６１の水面に向けて照射される。具体的には、図５に示すように、制限部材２０は、照明ユニット１０から照射された光、浴槽６１の形状に応じて長手方向及び短手方向を有する照射範囲７０に制限する。
【００４５】
照射範囲７０は、浴室６０の壁面を避けて、浴槽６１の水面に光が照射される範囲であり、浴槽６１の長手方向の端部は照射範囲７０に含まれないことが望ましい。これにより、入浴者に直接、光が当たることがないので、入浴者はまぶしさを感じることなく入浴することができる。照射範囲７０は、制限部材２０のカバー体２１に形成された透過孔２４の形状によって決定される。実施の形態１では、透過孔２４は、長手方向及び短手方向を有する長孔形状に形成されているため、照射範囲７０は長手方向及び短手方向を有する形状、例えば、長方形状又は楕円形状に規定される。
【００４６】
また、浴室用照明装置１においては、照明ユニット１０から照射された光を浴槽６１の水面に対して斜めに入射させている。具体的には、浴室用照明装置１は、浴槽本体６３の中央の上方の天井５１の領域よりも外側に取り付けられる。次いで、制限部材２０のカバー体２１に形成された透過孔２４を浴槽６１側に位置するようにカバー体２１を回転させる。これにより、カバー体２１の透過孔２４を通過した光が、浴槽６１の水面に対して斜めに入射する。これにより、浴槽本体６３の中央の上方に設けられた浴室換気暖房乾燥機６５を避けて、浴室用照明装置１の照明ユニット１０を天井裏に配置することができる。その結果、天井裏のスペースを有効に活用することができる。
【００４７】
また、浴室用照明装置１は、洗い場６２側に設けられた浴槽６１のフランジ６４の上方に取り付けられてもよい。なお、浴室換気暖房乾燥機６５は換気扇等換気機能のみを有するもの、暖房機能のみを有するもの、乾燥機能のみを有するもの、またはその任意の組み合わせを含むものである。
【００４８】
また、実施の形態１では、浴槽６１の中央より洗い場６２側に避けて浴室用照明装置１を配置しているが、避ける位置はこれに限られない。例えば、浴槽６１の長手方向に避けて配置してもよい。ただし、浴槽６１の長手方向に避けて配置した場合、どちら側に避けるかで方向が出来てしまい壁に直接光があたったり、入浴者に直接光があたって入浴者がまぶしさを感じたり、入浴者が影になり水面の揺らぎを美しく見せる効果が薄れたりする可能性がある。これに対して洗い場６２側に避けた場合、上記の弊害がなくより優れた効果を得ることができる。
【００４９】
［効果］
実施の形態１に係る浴室用照明装置１によれば、以下の効果を奏することができる。
【００５０】
浴室用照明装置１は、光を照射する照明ユニット１０と、照明ユニット１０から照射された光を制限する制限部材２０と、を備える。制限部材２０は、照明ユニット１０から照射された光を、浴槽６１の水面に向けて照射し、水面で反射した光により浴室内を照らしている。
【００５１】
具体的には、制限部材２０が、照明ユニット１０から照射された光を、浴槽６１の形状に応じて長手方向及び短手方向を有する照射範囲７０に制限している。
【００５２】
このような構成により、浴槽６１の形状に応じて浴槽６１の水面に光を照射することができ、照明ユニット１０から照射した光が浴室６０の壁面に直接照射されることを防止しつつ、照明ユニット１０から照射した光を浴槽６１の水面に照射することができる。これにより、水面から反射した光により、浴室６０の壁面を照らし、水の揺らぎを美しく見せることができる。
【００５３】
浴室用照明装置１によれば、照明ユニット１０は、浴室６０の天井裏に配置され、天井５１に設けられた開口５２を通じて光を照射している。制限部材２０は、照明ユニット１０により照射された光が透過する透過孔２４を有すると共に開口５２を覆うカバー体２１を備えている。また、透過孔２４は、浴槽６１の長手方向及び短手方向に対応する長孔形状に形成されている。
【００５４】
このような構成により、照明ユニット１０から照射された光のうち透過孔２４を透過した光で浴槽６１の水面を照射することができる。その結果、カバー体２１による簡易な構成で、浴槽６１の形状に対応した照射範囲で水面に光を照射することができる。また、光源である照明ユニット１０を天井裏に配置し、浴室６０側の天井面にカバー体２１を配置している。即ち、浴室用照明装置１では、天井５１内に装置を埋め込むことができる。このため、浴室用照明装置１によれば、フラットな天井５１の外観を損なわない。
【００５５】
浴室用照明装置１は、浴槽本体６３の中央の上方の天井５１の領域よりも外側に取り付けられている。また、制限部材２０は、照明ユニット１０から照射された光を、浴槽６１の水面に対して斜めに入射させている。
【００５６】
このような構成により、水面に対して斜めに入射させた光の反射により、浴室６０の壁面に水の揺らぎをより美しく見せることができる。また、水面に対して斜めに光を入射させることによって、人の影の影響を減らすことができる。さらに、浴槽６１の上方に配置された浴室換気暖房乾燥機６５等の機器を避けて、天井裏に光源を有する照明ユニット１０を配置することができる。その結果、天井裏のスペースを有効活用することができる。
【００５７】
また、制限部材２０は、照射範囲７０を所望の位置に規定することができるため、浴室用照明装置１が浴槽本体６３の中央の上方の天井５１の領域よりも外側に配置されたとしても、浴槽６１の水面への照射面積を減らすことなく、光を照射することができる。
【００５８】
浴室用照明装置１は、洗い場６２側に設けられた浴槽６１のフランジ６４の上方に取り付けられている。
【００５９】
このような構成により、水面で反射した光が、より広範囲に浴室６０の壁面を照らし、水の揺らぎをより美しく見せることができる。また、浴槽６１の上方に配置された浴室換気暖房乾燥機６５等の機器を避けて、天井裏に光源を有する照明ユニット１０を配置することができる。その結果、天井裏のスペースを有効活用することができる。
【００６０】
制限部材２０のカバー体２１の透過孔２４は、照明ユニット１０の光軸に対して偏心させた位置に形成されている。また、カバー体２１は、カバー体２１の中心を基準に回転可能に天井５１の開口５２に取り付けられている。
【００６１】
このような構成により、天井５１に浴室用照明装置１を取り付けた後、制限部材２０により、光の照射方向を容易に調整することができる。
【００６２】
制限部材２０は、筒状部材を備え、照明ユニット１０から照射された光が通過する筒状部材の内面側には、光吸収面が形成されている。なお、筒状部材とは、ホルダ２３と遮光部材２２のどちらであってもよい。
【００６３】
このような構成により、照明ユニット１０から照射された光が拡散することを抑制することができる。このため、照明ユニット１０から照射された光が、浴室６０の壁面に直接照射されることを防止することができる。
【００６４】
なお、実施の形態１では、浴室用照明装置１は、主として、浴槽６１の水面で反射した光により浴室６０の壁面を照らす例について説明したが、これに限定されない。浴室用照明装置１は、浴槽６１の水面で反射した光により浴室６０内を間接的に照らすことによって、水の揺らぎを美しく見せればよい。例えば、浴室用照明装置１は、水面からの反射光により、浴室６０の壁面の他、天井５１又は洗い場６２を照らしてもよい。
【００６５】
なお、実施の形態１では、照明ユニット１０から照射される光の光軸が天井面に対して垂直となるように照明ユニット１０を配置する例について説明したが、これに限定されない。例えば、照明ユニット１０は、照明ユニット１０から照射される光軸が天状面に対して斜めになるように配置されてもよい。
【００６６】
実施の形態１では、カバー体２１は、天井５１の開口５２の外側に配置されている例について説明したが、これに限定されない。例えば、カバー体２１は、開口５２の内部に配置されてもよい。このような構成により、浴室用照明装置１を取り付けた場合でも、フラットな天状面を実現することができる。その結果、浴室６０の外観を美しく見せることができる。また、浴槽６１の水面から反射した光が、天状面を照らした場合も水の揺らぎを美しく見せることができる。
【００６７】
実施の形態１では、カバー体２１の透過孔２４は、カバー体２１の中心に対して偏心している例について説明したが、これに限定されない。カバー体２１において透過孔２４が形成される位置は、浴室６０の形状又は浴室用照明装置１が取り付けられる位置によって変更してもよい。例えば、浴室用照明装置１が、傾斜した天井５１の開口５２に取り付けられる場合、透過孔２４は、カバー体２１の中央に形成されてもよい。
【００６８】
実施の形態１では、カバー体２１の透過孔２４の形状は、長手方向及び短手方向を有する長孔形状として、長方形又は楕円形状を説明したが、これに限定されない。透過孔２４の形状は、浴槽６１の形状に応じて変更してもよい。例えば、透過孔２４の形状は、円形、三角形、四角形、又は多角形などであってもよい。
【００６９】
実施の形態１では、制限部材２０は、浴槽６１の形状より長手方向の範囲を狭めた照射範囲７０とする例について説明したが、これに限定されない。例えば、照射範囲７０は、浴槽６１の水面全体を含む範囲としてもよいし、浴槽６１の水面と浴槽６１のフランジ６４を含む範囲であってもよいし、浴槽６１の水面において人が存在する位置を考慮して、範囲を狭めてもよい。
【００７０】
実施の形態１では、天井５１の開口５２及びカバー体２１は、円形形状である例を説明したが、これに限定されない。開口５２及びカバー体２１は、例えば、矩形形状又は楕円形状であってもよい。
【００７１】
実施の形態１では、制限部材２０が遮光部材２２を備える例について説明したが、これに限定されない。図７は、変形例の浴室用照明装置１Ａの概略断面図である。図７に示すように、浴室用照明装置１Ａにおいて、遮光部材２２は必須の構成ではない。制限部材２０は、遮光部材２２を備えず、カバー体２１とホルダ２３とを備える構成であってもよい。このような構成により、部品点数を減らし、コストを低減しつつ、水の揺らぎを美しく見せることができる浴室用照明装置１Ａを提供することができる。なお、浴室用照明装置１Ａにおいては、ホルダ２３の内側において光吸収面を形成しているため、この光吸収面によって照明ユニット１０から照射された光の拡散を抑制することができる。
【００７２】
実施の形態１では、カバー体２１が透過孔２４によって、照明ユニット１０から照射された光を制限する例について説明したが、これに限定されない。図８は、別の変形例の浴室用照明装置１Ｂの概略断面図である。図８に示すように、浴室用照明装置１Ｂにおいて、カバー体２１ａを、両端が開口された筒状の部材で形成してもよい。浴室用照明装置１Ｂにおいては、遮光部材２２の遮光板２７の貫通孔が透過孔として機能する。即ち、遮光板２７の貫通孔は、照明ユニット１０から照射された光を、浴槽６１の水面に向けて照射する。
【００７３】
図９は、照明ユニット１０から照射された光を集束するレンズ３４の概略図である。図９中の点線は、照明ユニット１０から照射された光の進む方向を示す。図９に示すように、カバー体２１の透過孔２４の代わりに、照明ユニット１０から照射された光を浴槽６１の水面に向けて集束させるレンズ３４を用いてもよい。例えば、レンズ３４は、光学的に異方性を有していてもよい。光学的異方性を有するレンズ３４に照明ユニット１０から照射された光を入射させることによって、浴槽６１の水面に光を集束させてもよい。あるいは、レンズ３４の傾斜によって、光の進む方向を変更し、浴槽６１の水面に光を照射してもよい。このような構成により、より簡単に所望の範囲に光を照射することができる。また、レンズ３４により照明ユニット１０から照射される光を集束させるため、光の強度の低下を減らすことができる。
【００７４】
本発明をある程度の詳細さをもって各実施形態において説明したが、これらの実施形態の開示内容は構成の細部において変化してしかるべきものである。また、実施形態における要素の組合せや順序の変化は、本開示の範囲及び思想を逸脱することなく実現し得るものである。
【産業上の利用可能性】
【００７５】
本発明は、浴槽の水面に向けて光を照射する浴室用照明装置として使用することができる。
【符号の説明】
【００７６】
１、１Ａ、１Ｂ  浴室用照明装置
１０  照明ユニット
１１  補強木
１２  ホルダーナット
１３  金属プレート
１４  タッピングネジ
１５  止水パッキン
１６  滑り止めパッキン
２０  制限部材
２１  カバー体
２２  遮光部材
２３  ホルダ
２４  透過孔
２５  位置決めピン
２６  凸部
２７  遮光板
２８  筒状体
２９  位置決め孔
３０  貫通孔
３１  フランジ部
３２  係止部
３３  キャップ
３４  レンズ
５１  天井
５２  開口
６０  浴室
６１  浴槽
６２  洗い場
６３  浴槽本体
６４  フランジ
６５  浴室換気暖房乾燥機
７０  照射範囲
Ｃ１  中心
ＣＬ１  中心軸
Ｄ１、Ｄ２  方向
【図１】
2019046608.tif 000003
【図２】
2019046608.tif 000004
【図３】
2019046608.tif 000005
【図４】
2019046608.tif 000006
【図５】
2019046608.tif 000007
【図６】
2019046608.tif 000008
【図７】
2019046608.tif 000009
【図８】
2019046608.tif 000010
【図９】
2019046608.tif 000011